(57)【要約】      （修正有）【課題】停電対策としては、一般家庭用電源の非常時での安定的電源確保が不可能だった。発電機用燃料として化石燃料を使用しているため地球温暖化や天然資源の涸渇が起きる。この問題点を解決するために、一般家庭用電源確保のための、おもりゼンマイ式発電機を提供する。【解決手段】ドラム５に、くさりチェーン３を設け、おもり１を吊るし、ドラム５の右に第一手動動力源となり、ドラム３１に、くさりチェーン２９を設け、おもり２７を吊るしドラム３１の左に第二手動動力源となることを特徴とするおもりゼンマイ式発電機。【選択図】図１
2012237305.tif 000002
【特許請求の範囲】
【請求項１】
ドラム１に、くさりチエーン１を設け、おもり１を吊るし、ドラム１の右に第一手動動力源となる右巻上ラチエットハンドル１を設け、ドラム１の左に右ゼンマイ巻付軸１を設け、ゼンマイ１を取付る、ゼンマイ１の外（左）にゼンマイ巻付軸に結合した第一歯車を設け、第一歯車にと噛み合うように第二歯車を設け、第二歯車の左に第三歯車を設け、第三歯車と噛み合うように第四歯車を設け、第四歯車の右に第四歯車軸で連結した冠歯車を設け、冠歯車１はテンプ１及び制動軸１と制動軸１に設けた、ストッパーＡ１とストッパーＢ１と共に脱進装置部分１を形成し第四歯車の第四歯車左軸に第五歯車を設け、第五歯車と噛み合うように第六歯車を設け、第六歯車左軸と発電機の右に発電機軸を設け、左ネジ継手で連結し、発電機設置台に設置しポルトで数箇所締め付けて固定する、電源供給電線を設け、
ドラム２に、くさりチエーン２を設け、おもり２を吊るし、ドラム２に、くさりチェーン２を設け、ドラム２の左に第二手動動力源となる左巻上ラチエットハンドル２を設け、ドラム２の右に左ゼンマイ巻付軸２を設け、ゼンマイ２を取付る、ゼンマイ２の外（右）に左ゼンマイ巻付軸に結合した第七歯車を設け、第七に結歯車と噛み合うように第八歯車を設け、第八歯車の右に第九歯車を設け、第九歯車と噛み合うように第十歯車を設け、同時に第十歯車は第一手動動力源の第三歯車と噛み合うように設け、第十歯車の左に第十歯車軸で連結した冠歯車２を設け、冠歯車２はテンプ２及び制動軸２と制動軸２に設けた、ストッパーＡ２とストッパーＢ２と共に脱新装置部分２を形成する、
おもりゼンマイ式発電機
【発明の詳細な説明】
【技術分野】
【０００１】    本発明は、一般家庭用としての発電機に関するものである。
【背景技術】
【０００２】  従来、停電対策としては、企業の業務用としてジィゼル・エンジンやガソリン・エンジンよる発電機等があったが、一般家庭向きの簡易な手動の装置としての家庭用発電機は殆んどなかった。
【先行技術文献】
【０００３】
【非特許文献１】講談社ブルーブックス図解古代・中世の超技術３８
【発明の概要】
【発明が解決しようとする課題】
【０００４】  家庭における停電対策としては、非常時の安定的電源確保が不可能だった、ジィゼル・エンジンやガソリン・エンジンは価格も高く、動力源として、化石燃料を使用しているために。地球温暖化や地球環境の悪化や天然資源の涸渇が起る。
本発明は以上の問題点を解決するためになされたものである。
【課題を解決するための手段】
【０００５】  ドラム１に、くさりチエーン１を設け、おもり１を吊るし、ドラム１の右に第一手動動力源となる、右巻上ラチエットハンドル１を設け、ドラム１の左に右ゼンマイ巻付軸１を設けゼンマイ１を取付る。ゼンマイ１の外（左）に右ゼンマイ巻付軸１に結合した第一歯車を設け第一歯車と噛み合うように第二歯車を設け、第二歯車の左に第三歯車を設け、第三歯車と噛み合うように第四歯車設け、第四歯車の左の第四歯車左軸に第五歯車を設け、第五歯車と噛み合うように第六歯車を設け、第六歯車軸と発電機の右に発電機軸を設け、左ネジ継手で連結する。発電機設置台に設置しポルトで数箇所を締め付けて固定する。第四歯車右軸に冠歯車１を設け、冠歯車１はテンプ１及び制動軸１と制動軸１に設けたストッパーＡ１とストッパーＢ１共に脱進装置部分１を形成する。
ラム２に、くさりチエーン２を設け、おもり２を吊るし、ドラム２の左に第二手動動力源となる左巻ラチエットハンドル２を設け、ドラム２の右に左ゼンマイ巻付軸２を設けゼンマイ２を取付る。ゼンマイ２の外（右）に左ゼンマイ巻付軸２に結合した第七歯車を設け、第七歯車と噛み合うように第八歯車を設け、第八歯車の右に第九歯車を設け、第九歯車と噛み合うように第十歯車を設け、同時に第十歯車第三歯車と噛み合うように設け、第十歯車の左に第十歯車軸で連結した冠歯車２を設け。冠歯車２はテンプ２及び制動軸２と制動軸２に設けた、ストッパーＡ２とストッパーＢ２と共に脱進装置部分２を形成する。
以上の構成により成るおもりゼンマイ式発電機である
【発明の効果】
【０００６】  従来、電源停電時に不可能とされた、一般家庭用電源の確保を可能にして、安定的に電源の供給確保することができる。
本発明は、一般家庭用電源としての発電機であるが民間企業でも利用可能である。
【図面の簡単な説明】
【０００７】
【図１】  本発明の構造図
【図２】  本発明の使用状態を示す構造図
【発明を実施するための形態】
【０００８】  以下、本発明の実施の形態を説明する。
ドラム１（５）に、くさりチエーン１（３）を設け、おもり１（１）を吊るし、ドラム１（５）の右に第一手動動力源となる。右巻上ラチエットハンドル１（４）を設け、ドラム１（５）を設け、右ゼンマイ取付軸１（６）を設け、ゼンマイ１（２）を取付る。ゼンマイ１（２）の外（左）にゼンマイ巻付軸１（６）に結合した第一歯車７を設け、第一歯車（７）と噛み合うように第二歯車（８）を設け、第二歯車（８）の左に第三歯車（９）を設け、第三歯車（９）と噛み合うように第四歯車（１０）を設け、第四歯車（１０）の左の第四歯車左軸（１１）に第五歯車（１２）を設け、第五歯車（１２）と噛み合うように第六歯車（１３）を設け、第六歯車軸（１４）と発電機（１７）の右に発電機軸（１６）を設け、左ネジ継手（１５）で連結する。発電機（１７）は発電機設置台（１８）にボルト（１９）で数箇所を締め付けて固定する。電源供給電線（４４）を設け、第四歯車（１０）の右に第四歯車右軸（２０）で連結した冠歯車１（２１）を設け。冠歯車１（２１）はテンプ１（２２）及び制動軸１（２５）と制動軸１（２５）に設けたストッパーＡ１（２３）とストッパーＢ１（２４）と共に脱進装置部分１（２６）を形成する。
ドラム２（３１）の左に、くさりチエーン２（２９）を設け、おもり２（２７）を吊るし、ドラム２（３１）の第二手動動力源となる。左巻上ラチエットハンドル２（３０）を設け、ドラム２（３１）の右に左ゼンマイ巻付軸２（３２）を設け、ゼンマイ２（２８）を取付け、ゼンマイ２（２８）の外（右）に左ゼンマイ巻付軸２（３２）に結合した第七歯車（３３）を設け、第七歯車（３３）と噛み合うように第八歯車（３４）を設け、第八歯車（３４）右に第九歯車（３５）を設け、第九歯車（３５）と噛み合うように第十歯車（３６）を設け、同時に第十歯車（３６）は第一手動動力源の第三歯車（９）とも噛み合うように設け、第十歯車（３６）の左に第十歯車軸（３７）で連結した冠歯車２（３８）を設け冠歯車２（３８）はテンプ２（３９）及び制動軸２（４２）と制動軸２（４２）に設けた、ストッパーＡ２（４０）とストッパーＢ２（４１）と共に脱進装置部分２（４３）を形成する。
本発明は以上のような構造である。
本発明を使用するときは、まず電源供給電線（４４）と電球及び電源負荷（４５）と接続する。このとき発電機はまだ駆動発電していないここで右巻上ラチエットハンドル１（４）を巻上ると、ドラム１（５）が回転して、くさりチエ−、ン１（３）を介して、おもり１（１）が引き上げられる。同時に右ゼンマイ巻付軸１（６）によりゼンマイ１（２）も巻きつけられる。ゼンマイ１（２）が固く締まったら、一旦そのままの状態で止めて置いて次に左巻上ラチエットハンドル２（３０）を巻上ると、ドラム２（３１）が回転して、くさりチエ−ン２（２９）を介して、おもり２（２７）が引きあげられる。左ゼンマイ巻付軸２（３２）によりゼンマイ２（２８）も巻つけられる。ゼンマイ２（２８）が固く締まったら、右巻上ラチエットハンドル１（４）と左巻上ラチエットハンドル２（３０）のツメのロックを同時に外すと、おもりが降下する。ゼンマイは巻戻されていき、第一手動動力源のおもりが降下する力とゼンマイが巻戻され力で第一歯車（７）が回転し、第二歯車（８）、第三歯車（９）、第四歯車（１０）、第五歯車（１２）、第六歯車（１３）へと伝導する。これと同時期に、おもり２（２７）が降下する。ゼンマイ２（２８）は巻戻されていさ、第二手動動力のおもりが降下する。ゼンマイは巻戻される力で第七歯車（３３）が回転し、第八歯車（３４）、第九歯車（３５）、第十歯車（３６）、へと伝導する。なお第十歯車（３６）は第一手動動力源の第三歯車（９）と噛み合って回転力がが構成強化され第四歯車（１０）、第五歯車（１２）、第六歯車（１３）へと回転力がアシストされ伝導する左ネジ継手（１５）で第六歯車軸（１４）と連結された発電機軸（１６）が回転し、発電機（１７）、発電が作動しする発電機は発電機設置台（１８）に設置しボルト（１９）で堅く締め付け固定する。電気は電源供給電線（４４）を介して電球及び電源負荷（４５）を作動させる。
【符号の説明】
【０００９】１  おもり１、２  ゼンマイ１、３  くさりチエ−ン１、４  右巻上ラチエットハンドル１  ５  ドラム１、６  右ゼンマイ巻付軸１、７  第一歯車、８  第二歯車、９  第三歯車、１０  第四歯車、１１  第四歯車左軸  １２  第五歯車、１３  第六歯車、１４  第六歯車軸、１５  左ネジ継手、１６  発電機軸、１７  発電機、１８  発電機設置台、１９  ボルト、２０  第四歯車右軸、２１  冠歯車１、２２  てんぷ１、２３  ストッパーＡ１、２４  ストッパーＢ１、２５  制動軸１、２６  脱進装置部分１、２７  おもり２  ２８  ゼンマイ２、２９  くさりチエ−ン２、３０  左巻上ラチエットハンドル２、３１  ドラム２、３２  左ゼンマイ巻付軸２、３３  第七歯車、３４  第八歯車、３５  第九歯車、３６  第十歯車、３７  第十歯車軸、３８  冠歯車、３９  テンプ２、４０  ストッパーＡ２、４１  ストッパーＢ２、４２  制動軸２、４３  脱進装置部分２、４４  電源供給電線、４５  電球及び電源負荷、
【図１】
2012237305.tif 000003
【図２】
2012237305.tif 000004
【手続補正書】
【提出日】平成24年1月4日(2012.1.4)
【手続補正１】
【補正対象書類名】特許請求の範囲
【補正対象項目名】全文
【補正方法】変更
【補正の内容】
【特許請求の範囲】
【請求項１】
ドラム１に、くさりチエーン１を設け、おもり１を吊るし、ドラム１の右に第一手動動力源となる右巻上ラチエットハンドル１を設け、ドラム１の左に右ゼンマイ巻付軸１を設け、ゼンマイ１を取付る。ゼンマイ１の外（左）に右ゼンマイ巻付軸１に結合した第一歯車を設け、第一歯車と噛み合うように第二歯車を設け、第二歯車の左に軸で結合されている第三歯車を設け、第三歯車と噛み合うように第四歯車を設け、第四歯車の第四歯車右軸で連結した冠歯車１を設け、冠歯車１はテンプ１及び制動軸１と制動軸１に設けた、ストッパーＡ１とストッパーＢ１と共に脱進装置部分１を形成し第四歯車の第四歯車左軸に第五歯車を設け、第五歯車と噛み合うように第六歯車を設け、第六歯車軸と発電機の右に設けた発電機軸とを左ネジ継手で連結し発電機を設置台に設置しボルトで数箇所締め付けて固定する。電源供給電線を設け、電球及び電源負荷に接続される。
ドラム２に、くさりチエーン２を設け、おもり２を吊るし、ドラム２の左に第二手動動力源となる左巻上ラチエットハンドル２を設け、ドラム２の右に左ゼンマイ巻付軸２を設け、ゼンマイ２を取付る。ゼンマイ２の外（右）に左ゼンマイ巻付軸２に結合した第七歯車を設け、第七歯車と噛み合うように第八歯車を設け、第八歯車の右に軸で結合されている第九歯車を設け、第九歯車と噛み合うように第十歯車を設け、同時に第十歯車は駆動上連結されている第三歯車とも噛み合うように設け、第十歯車の左に第十歯車軸で連結した冠歯車２を設け、冠歯車２はテンプ２及び制動軸２と制動軸２に設けた、ストッパーＡ２とストッパーＢ２と共に脱進装置部分２を形成する、
おもりゼンマイ式発電機。
【手続補正２】
【補正対象書類名】明細書
【補正対象項目名】０００５
【補正方法】変更
【補正の内容】
【０００５】  ドラム１に、くさりチエーン１を設け、おもり１を吊るし、ドラム１の右に第一手動動力源となる、右巻上ラチエットハンドル１を設け、ドラム１の左に右ゼンマイ巻付軸１を設けゼンマイ１を取付る。ゼンマイ１の外（左）に右ゼンマイ巻付軸１に結合した第一歯車を設け第一歯車と噛み合うように第二歯車を設け、第二歯車の左に軸で結合されている第三歯車を設け、第三歯車と噛み合うように第四歯車設け、第四歯車の左の第四歯車左軸に第五歯車を設け、第五歯車と噛み合うように第六歯車を設け、第六歯車軸と発電機の右に設けた発電機軸とを左ネジ継手で連結し発電機を発電機設置台に設置しボルトで数箇所を締め付けて固定する。第四歯車右軸に冠歯車１を設け、冠歯車１はテンプ１及び制動軸１と制動軸１に設けたストッパーＡ１とストッパーＢ１は共に脱進装置部分１を形成する。
ドラム２に、くさりチエーン２を設け、おもり２を吊るし、ドラム２の左に第二手動動力源となる左巻上ラチエットハンドル２を設け、ドラム２の右に左ゼンマイ巻付軸２を設けゼンマイ２を取付るゼンマイ２の外（右）に左ゼンマイ巻付軸２に結合した第七歯車を設け、第七歯車と噛み合うように第八歯車を設け、第八歯車の右に軸で結合されている第九歯車を設け、第九歯車と噛み合うように第十歯車を設け、同時に第十歯車は駆動上連結されている第三歯車と噛み合うように設け、第十歯車の左に第十歯車軸で連結した冠歯車２を設け、冠歯車２はテンプ２及び制動軸２と制動軸２に設けた、ストッパーＡ２とストッパーＢ２と共に脱進装置部分２を形成する、
以上の構成により成るおもり、ゼンマイ式発電機である。
【手続補正３】
【補正対象書類名】明細書
【補正対象項目名】０００８
【補正方法】変更
【補正の内容】
【０００８】  以下、本発明の実施の形態を説明する。
ドラム１（５）に、くさりチエーン１（３）を設け、おもり１（１）を吊るし、ドラム１（５）の右に第一手動動力源となる、右巻上ラチエットハンドル１（４）を設け、ドラム１（５）を設け、右ゼンマイ取付軸１（６）を設け、ゼンマイ１（２）を取付る。ゼンマイ１（２）の外（左）にゼンマイ巻付軸１（６）に結合した第一歯車（７）を設け、第一歯車（７）と噛み合うように第二歯車（８）を設け、第二歯車（８）の左に軸で結合されている第三歯車（９）を設け、第三歯車（９）と噛み合うように第四歯車（１０）を設け、第四歯車（１０）の左の第四歯車左軸（１１）に第五歯車（１２）を設け、第五歯車（１２）と噛み合うように第六歯車（１３）を設け、第六歯車軸（１４）と発電機（１７）の右に設けた発電機軸（１６）とを左ネジ継手（１５）で連結し。発電機（１７）は発電機設置台（１８）にボルト（１９）で数箇所を締め付けて固定する。電源供給電線（４４）を設け電球及び電源負荷に接続される。第四歯車（１０）の右に第四歯車右軸（２０）で連結した冠歯車１（２１）を設け。冠歯車１（２１）はテンプ１（２２）及び制動軸１（２５）と制動軸１（２５）に設けたストッパーＡ１（２３）とストッパーＢ１（２４）と共に脱進装置部分１（２６）を形成する。
ドラム２（３１）の左に、くさりチエーン２（２９）を設け、おもり２（２７）を吊るし、ドラム２（３１）の第二手動動力源となる。左巻上ラチエットハンドル２（３０）を設け、ドラム２（３１）の右に左ゼンマイ巻付軸２（３２）を設け、ゼンマイ２（２８）を取付る。ゼンマイ２（２８）の外（右）に左ゼンマイ巻付軸２（３２）に結合した第七歯車（３３）を設け、第七歯車（３３）と噛み合うように第八歯車（３４）を設け、第八歯車（３４）右に軸で結合されている第九歯車（３５）を設け、第九歯車（３５）と噛み合うように第十歯車（３６）を設け、同時に第十歯車（３６）は駆動上連結されている第三歯車（９）とも噛み合うように設け、第十歯車（３６）の左に第十歯車軸（３７）で連結した冠歯車２（３８）を設け、冠歯車２（３８）はテンプ２（３９）及び制動軸２（４２）と制動軸２（４２）に設けた、ストッパーＡ２（４０）とストッパーＢ２（４１）と共に脱進装置部分２（４３）を形成する。
本発明は以上のような構造である。
本発明を使用するときは、まず電源供給電線（４４）と電球及び電源負荷（４５）と接続する。このとき発電機はまだ駆動発電していない、ここで右巻上ラチエットハンドル１（４）を巻上ると、ドラム１（５）が回転して、くさりチエーン（３）を介して、おもり１（１）が引き上げられる。同時に右ゼンマイ巻付軸１（６）によりゼンマイ１（２）も巻きつけられる。ゼンマイ１（２）が固く締まったら、一旦そのままの状態で止めて置いて次に左巻上ラチエットハンドル２（３０）を巻上ると、ドラム２（３１）が回転して、くさりチエーン２（２９）を介して、おもり２（２７）が引きあげられる。左ゼンマイ巻付軸２（３２）によりゼンマイ２（２８）も巻つけられる。ゼンマイ２（２８）が固く締まったら、右巻上ラチエットハンドル１（４）と左巻上ラチエットハンドル２（３０）のツメのロックを同時に外すと、おもり１（１）が降下する。ゼンマイ１（２）は巻戻されていき、第一手動動力源のおもり１（１）が降下する力とゼンマイ１（２）が巻戻される力で第一歯車（７）が回転し、第二歯車（８）、第三歯車（９）、第四歯車（１０）、第五歯車（１２）、第六歯車（１３）へと伝導する。これと同時期に、おもり２（２７）が降下する。ゼンマイ２（２８）は巻戻されていき、第二手動動力源のおも２（２７）が降下する力とゼンマイ２（２８）は巻戻される力で第七歯車（３３）が回転し、第八歯車（３４）、第九歯車（３５）、第十歯車（３６）へと伝導する。なお第十歯車（３６）は駆動上連結されている第三歯車（９）と噛み合って回転力が合成強化され第四歯車（１０）、第五歯車（１２）、第六歯車（１３）へと回転力がアシストされ伝導する左ネジ継手（１５）で第六歯車軸（１４）と連結された発電機軸（１６）が回転し、発電機（１７）が作動し発電される。発電機（１７）は発電機設置台（１８）に設置しボルト（１９）で堅く締め付け固定する。電気は電源供給電線（４４）を介して電球及び電源負荷（４５）を作動させる。
【手続補正４】
【補正対象書類名】明細書
【補正対象項目名】０００９
【補正方法】変更
【補正の内容】
【０００９】１  おもり１、２  ゼンマイ１、３  くさりチエーン１、４  右巻上ラチエットハンドル１、５  ドラム１、６  右ゼンマイ巻付軸１、７  第一歯車、８  第二歯車、９  第三歯車、１０  第四歯車、１１  第四歯車左軸、１２  第五歯車、１３  第六歯車、１４  第六歯車軸、１５  左ネジ継手、１６  発電機軸、１７  発電機、１８  発電機設置台、１９  ボルト、２０  第四歯車右軸、２１  冠歯車１、２２  テンプ１、２３  ストッパーＡ１、２４  ストッパーＢ１、２５  制動軸１、２６  脱進装置部分１、２７  おもり２、２８  ゼンマイ２、２９  くさりチエーン２、３０  左巻上ラチエットハンドル２、３１  ドラム２、３２  左ゼンマイ巻付軸２、３３  第七歯車、３４  第八歯車、３５  第九歯車、３６  第十歯車、３７  第十歯車軸、３８  冠歯車２、３９  テンプ２、４０  ストッパーＡ２、４１  ストッパーＢ２、４２  制動軸２、４３  脱進装置部分２、４４  電源供給電線、４５  電球及び電源負荷、